(57)【要約】【課題】  吐出量の調整を容易にできるようにするとともに、少量の内容液を狭い範囲に塗布できるようにした操作性の優れた吐出容器を提供すること。【解決手段】  容器と、容器口部に取着され、取付キャップと該取付キャップに連設された吐出ノズルとからなるノズル部材と、容器口部に嵌着され、弾性を有する中筒体とを具えた吐出容器であって、吐出ノズルは、中筒体を押圧する一対の押圧片と、該押圧片が案内される開口、および吐出口を設けた先細の円錐状ノズル筒部を具備しており、中筒体は、上部がノズル筒部に支持され、押圧片によって押圧されるようにしたことを特徴とする。【選択図】  図１
2005335773.tif 000002
【特許請求の範囲】
【請求項１】
容器と、容器口部に取着され、取付キャップと該取付キャップに連設された吐出ノズルとからなるノズル部材と、容器口部に嵌着され、弾性を有する中筒体とを具えた吐出容器であって、
吐出ノズルは、中筒体を押圧する一対の押圧片と、該押圧片が案内される開口、および吐出口を設けた先細の円錐状ノズル筒部を具備しており、
中筒体は、上部がノズル筒部に支持され、押圧片によって押圧されるようにしたことを特徴とする吐出容器。
【発明の詳細な説明】
【技術分野】
【０００１】
本発明は、吐出容器、とくに一定量の小量液を吐出する容器に関するものである。
【背景技術】
【０００２】
一定量の内容液を少量ずつ吐出するようにした容器は、従来より知られている（特許文献１、２参照）。
【０００３】
特許文献１記載の液吐出容器は、吐出ノズルと操作部とからなる吐出ヘッドをキャップに立設し、操作部を、押ボタンとその下方に設けた薄肉部とによって構成し、押ボタンを押圧して薄肉部を変形させて、その変形量に応じて内容液を吐出させるようにしている。
【０００４】
また、特許文献２記載の液吐出容器は、吐出ノズルを具えた押圧筒を立設したノズルキャップ内に押圧規制部材を装着し、押圧量を一定にすることによって定量の内容液を注出するようにしている。
【特許文献１】特開２００１−１２２３５７号公報
【特許文献２】特開２００２−１２２５１号公報
【発明の開示】
【発明が解決しようとする課題】
【０００５】
しかしながら、上記特許文献１記載の液吐出容器では、押ボタンと薄肉部とからなる操作部は、円周上の一部に設けられており、また、押ボタンの支点は、操作部の上端に設けられているので、操作部の形状は複雑となり、コストが高くなるという問題があった。
【０００６】
上記特許文献２記載の液吐出容器は、ノズルキャップ内に押圧規定部材を設けているので、容器の構造が複雑となり、組立も容易でなかった、
【０００７】
本発明は、上記の事情を考慮し、吐出量の調整を容易にできるようにするとともに、少量の内容液を狭い範囲に塗布できるようにした操作性の優れた吐出容器を提供することを目的とする。
【課題を解決するための手段】
【０００８】
本発明は、上記の課題を解決するため、吐出容器として、容器と、容器口部に取着され、取付キャップと該取付キャップに連設された吐出ノズルとからなるノズル部材と、容器口部に嵌着され、弾性を有する中筒体とを具えた吐出容器であって、吐出ノズルは、中筒体を押圧する一対の押圧片と、該押圧片が案内される開口、および吐出口を設けた先細の円錐状ノズル筒部を具備しており、中筒体は、上部がノズル筒部に支持され、押圧片によって押圧されるようにしたことを特徴とする構成を採用する。
【発明の効果】
【０００９】
ノズル部材のノズル筒部に、一対の押圧片を取付け、手のひらで吐出容器を掴み、親指と人差し指、または中指で押圧操作ができるから、吐出量の微妙な調節も安定してでき、ノズル筒部が先細であるので、狭い範囲の吐出も容易に行うことができる。
中筒体とノズル部材とを別体としているから、中筒体の樹脂を所望する吐出量に応じて選択できる。
また、押圧片内周面と、該内周面と当接する中筒体部分の外周面をほぼ同形状としているから、一定量の液を注出する場合には、最初から最後まで安定した吐出を行うことができる。
【発明を実施するための最良の形態】
【００１０】
次に、本発明の吐出容器について、図面を参照して説明する。
図１において、Ａは容器、Ｂは容器口部に取着されたノズル部材、Ｃは中筒体、Ｄはオーバーキャップである。
【００１１】
容器Ａは、口部１と胴部２、底部３とからなっており、口部１の外周には、嵌合突条４が突設されている。
【００１２】
図２に示すように、ノズル部材Ｂは、取付キャップ５と、該取付キャップ５に立設された吐出ノズル６とからなっている。
取付キャップ５は、側周壁７と環状の上壁８とを具えており、側周壁７内周には、容器Ａの嵌合突条４に嵌合される嵌合凹条９が刻設されており、外周には、ねじ１０が螺設されている。
【００１３】
吐出ノズル６は、上壁８の内周縁に沿って立設されており、下部の円筒部１１と、上部の円錐状のノズル筒部１２とを具えている。
吐出ノズル６の中間部には、ノズル筒部１２の下方から円筒部１１上方にかけて左右一対の長円状の開口１３が穿孔されており、開口１３の上端縁に沿って、ノズル筒部１２から突設された連結部１４を介して押圧片１５が連設されている。
【００１４】
押圧片１５は、押さえ板１６と押圧部１７とからなり、押圧部１７は、開口１３内に摺動自在に挿入され、その内周面は、後述する中筒体Ｃの外周面にほぼ一致するように形成されている。
押圧部１７の高さは、所望する吐出量に応じて、適宜に設定することができる。
押さえ板１６は、押圧時に、その周縁部１６ａが開口１３の周辺に当接するように押圧部１７より広くなっており、内周面は、吐出ノズル６の表面と一致するように形成されている。
【００１５】
吐出ノズル６の内面は、中筒体Ｃの形状と一致した形状となっており、上方のノズル筒部１２の先端は先細となっており、その内面には吐出孔１８が穿孔され、上端には吐出口１９が設けられ、下端部は拡径部２０となっている。
拡径部２０の上段２０ａには、中筒体Ｃを支持する為の嵌合凹条２１が刻設され、下段は拡径された嵌合筒部２２となっている。
【００１６】
図３に示すように、中筒体Ｃは、ドーム状の肩部２５と筒状の胴部２６、肩部２５の上方に立設された注出口部２７とからなっている。
胴部２６の下方部には、フランジ２８が設けられており、容器Ａの口部１上面に当接され、胴部２６の下端部外周は、口部１の内面に嵌合するようになっている。
注出口部２７は、ノズル筒部１２の吐出孔１８と同径の内周面を有しており、上部外周には、ノズル筒部１２の嵌合凹条２１に嵌合する嵌合突条２９が突設され、下部外周は拡径部３０となっており、ノズル筒部１２の嵌合筒部２２に嵌合されるようになっている。
【００１７】
中筒体Ｃの材質については、ゴム等の弾性体から押圧変形可能な合成樹脂まで、所望する内容液の吐出量に応じて自由に選択できる。
【００１８】
図４に示すように、オーバーキャップＤは、頂壁３５と、砲弾状の外形を有する側周壁３６とからなっている。
頂壁３５には、ノズル部材Ｂの吐出口１９を塞ぐ栓体３７が垂設されており、側周壁３６の下端部内周には、取付キャップ５のねじ１０と螺合するねじ３８が螺設されている。
【００１９】
次に、本発明吐出容器の使用態様と作用効果について説明する。
本吐出容器には、極めて狭い範囲に塗布する水虫薬、その他の皮膚用薬液、目薬等の液体、或いはクリーム状物の吐出容器などに好適に用いられる。
【００２０】
使用にあたっては、オーバーキャップＤを取外して、ノズル筒部１２の吐出口１９を患部に向け、容器Ａを手で握って親指と人差し指、または中指で押さえ板１６を押さえて押圧操作すると、図５に示すように、中筒体Ｃの胴部２６は、押圧量に応じて変形し、所要量の薬液を吐出することができる。
その際、押圧操作は、指先で行うので、微妙な調節が可能である。
【００２１】
中筒体Ｃとノズル部材Ｂの材質は、所望の吐出量に応じて適宜に選択できるので、一回の押圧操作による吐出量を、所望する量にすることが容易にできる。
【００２２】
また、押圧片１５は、押さえ板１６の周縁部１６ａが吐出ノズル６の表面に当接するまで押圧され、中筒体Ｃは、それに応じて、図５（ｂ）に示すように変形し、一定量の内容液を吐出することができる。
その際、押圧片１５の押圧部１７の内周面と、中筒体Ｃの外周面はほぼ一致しているので、注出の最初から最後まで安定して吐出できる。  
【００２３】
次に、吐出ノズルの変形実施例について説明する。
前記実施例では、押圧片１５の押さえ板１６の周縁部１６ａを開口１３の周縁外周に当接させて吐出量の最大量を設定するようにしているが、本実施例は、開口を大きくし、押圧片１５が開口内で押圧操作ができるようにし、中筒体とノズル部材の材質によって吐出量を設定するようにしたものである。
【００２４】
図６に示すように、ノズル部材Ｂａは、取付キャップ５と吐出ノズル６Ａとからなり、吐出ノズル６Ａには、押圧片１５が押圧操作可能として挿通される開口４０が穿孔されている。
開口４０の上端は、ノズル筒部１２の下方部まで達し、円筒部１１の下端、すなわち取付キャップ５の上壁８面まで延びている。
【００２５】
開口４０の側端４１の巾は、押圧片１５の巾より広くなっており、前記実施例と同様に、開口４０の上端縁に沿って、ノズル筒部１２から突設された連結部１４を介して、押圧片１５が連設されている。
押圧片１５は、押さえ板１６と押圧部１７とからなっている。
【００２６】
中筒体Ｃを吐出ノズル６Ａに嵌挿し、容器Ａにノズル部材Ｂａを取付けた場合には、図７（ａ）に示すように、中筒体Ｃの表面の一部が吐出ノズル６Ａの開口４０から露出し、押圧片１５の押圧部１７の内面は、中筒体Ｃの外周面に当接する。
【００２７】
使用にあたって、押圧片１５を押圧すると、図７（ｂ）に示すように、押圧片１５による押圧量に応じて中筒体Ｃが変形し、押圧量に対応する容量の内容液を吐出することができる。
押圧量に対応する吐出量は、中筒体Ｃの材質を選択することによって適宜に設定することができる。
【００２８】
したがって、押圧片１５は、指先で操作されるので、押圧量を微妙に調節して所望量の内容液を吐出することができ、押圧片１５を最後まで押込んだときには、一定量の内容液を吐出させることができる。
また、押圧片１５の変形は、ノズル部材Ｂａの材質、連結部１４の強度等によって制限され、最大の押圧量も、容易に設定することができる。
【００２９】
また、上記実施例では、押圧片１５を開口４０上端に設けているが、押圧片１５をノズル部材の取付キャップ側で連設させ、上方に延びる形状としてもよい。
【産業上の利用可能性】
【００３０】
一対の押圧片を二つの指先で操作するようにしているから、吐出操作が容易にでき、吐出量を自由に調整できる。
また、ノズル筒部を先細にし、少量の液を塗布できるので、限られた範囲へ少量液を塗布することができ、皮膚用治療液、目薬等の吐出容器等にも広く利用することができる。
【図面の簡単な説明】
【００３１】
【図１】本発明吐出容器の縦断面図である。
【図２】吐出ノズルの説明図で、（ａ）は一部断面正面図、（ｂ）は上面図、（ｃ）は側面図である。
【図３】中筒体の一部断面立面図である。
【図４】オーバーキャップの断面立面図である。
【図５】押圧片の操作時の説明図で、（ａ）は押圧前、（ｂ）は押圧時の状態を示す断面立面図である。
【図６】別実施例の吐出ノズルの説明図で、（ａ）は一部断面正面図、（ｂ）は上面図、（ｃ）は側面図である。
【図７】押圧片の操作時の説明図で、（ａ）は押圧前、（ｂ）は押圧時の状態を示す断面立面図である。
【符号の説明】
【００３２】
Ａ          容器
Ｂ、Ｂａ    ノズル部材
Ｃ          中筒体
Ｄ          オーバーキャップ
１          口部
２          胴部
５          取付キャップ
６、６Ａ    吐出ノズル
７          側周壁
８          上壁
１１        円筒部
１２        ノズル筒部
１３、４０  開口
１４        連結部
１５        押圧片
１６        押さえ板
１７        押圧部
１８        吐出孔
１９        吐出口
２０        拡径部
２１        嵌合凹条
２２        嵌合筒部
２５        肩部
２６        胴部
２７        注出口部
２８        フランジ
２９        嵌合突条
３０        拡径部
３５        頂壁
３６        側周壁
３７        栓体
４１        側端
【図１】
2005335773.tif 000003
【図２】
2005335773.tif 000004
【図３】
2005335773.tif 000005
【図４】
2005335773.tif 000006
【図５】
2005335773.tif 000007
【図６】
2005335773.tif 000008
【図７】
2005335773.tif 000009